(57)【要約】【課題】本発明は、使用者が手で持ち上げ且つ動かすことを容易にする形状の構造を有する平鍋などの器具または道具のためのハンドルを提供することを目的とする。【解決手段】本発明では、ハンドルが開示され、当該ハンドルは平鍋などの器具または道具あるいは他の調理用品で使用するためのものである。ハンドルは芯部を含み、握り部を含むことができる。芯部は基部に連結された基部取付部、ならびに第１の部材及び第１の部材から離間された第２の部材を含む握り部分を含む。第１の部材及び第２の部材はそれぞれ、それらの水平寸法よりも大きい垂直寸法を含む。架橋部は離間して配置された第１の部材と第２の部材の間を延びることができる。握り部は握り部取付部を少なくとも部分的に取り囲み、芯部に一体成形するまたは鞘状部として摺動取付けすることができる。【選択図】図１
2006271973.tif 000002
【特許請求の範囲】
【請求項１】
基部と、
芯部及び握り部を含むハンドルとを含んでおり、
前記芯部は、
前記基部に連結された基部取付部と、
握り部取付部であって、当該握り部取付部が第１の部材及び当該第１の部材から離間された第２の部材を含み、前記第１の部材及び前記第２の部材のそれぞれが、その水平寸法よりも大きい垂直寸法を含む、握り部取付部とを含んでおり、
前記握り部は、前記握り部取付部を少なくとも部分的に取り囲んでいる、装置。
【請求項２】
前記握り部が前記握り部取付部周りに一体成形される、請求項１に記載の装置。
【請求項３】
前記握り部が前記握り部取付部上を摺動する、請求項１に記載の装置。
【請求項４】
前記芯部が前記第１の部材と前記第２の部材との間を延びる架橋部をさらに含む、請求項１に記載の装置。
【請求項５】
前記架橋部と前記第１の部材と前記第２の部材とが、単一のユニット式部品として形成される、請求項４に記載の装置。
【請求項６】
前記架橋部と前記第１の部材と前記第２の部材とが、金属の単一のシートから打抜き形成される、請求項５に記載の装置。
【請求項７】
前記芯部が複数の開口をさらに含む、請求項４に記載の装置。
【請求項８】
前記複数の開口が架橋部によって画成される、請求項７に記載の装置。
【請求項９】
前記複数の開口が、前記第１の部材及び前記第２の部材によってさらに画成される、請求項８に記載の装置。
【請求項１０】
前記握り部が、前記芯部の前記複数の開口と整列した複数の開口を含む、請求項７に記載の装置。
【請求項１１】
前記握り部の前記複数の開口が、前記握り部の上面及び底面で開口している、請求項１０に記載の装置。
【請求項１２】
前記架橋部が、前記第１の部材及び前記第２の部材を連結する複数のパネルを含む、請求項７に記載の装置。
【請求項１３】
前記第１の部材及び前記第２の部材が、前記芯部の長手方向軸に沿って延びる複数の細長い部分を含む、請求項１に記載の装置。
【請求項１４】
前記第１の部材及び前記第２の部材が、前記芯部の長手方向軸に沿って延びる連続的な細長い竿部を含む、請求項１に記載の装置。
【請求項１５】
前記握り部取付部が、前記握り部取付部及び前記基部取付部に比べてより幅狭の側方寸法を有する首状部で、前記基部取付部に連結されている、請求項１に記載の装置。
【請求項１６】
前記握り部取付部が、一つまたは複数の締結具で前記基部取付部に連結されている、請求項１５に記載の装置。
【請求項１７】
前記握り部が、前記握り部取付部及び前記基部取付部よりも低い熱伝導性を有する、請求項１に記載の装置。
【請求項１８】
前記握り部がポリマー材料を含む、請求項１７に記載の装置。
【請求項１９】
前記ポリマー材料がシリコーンを含む、請求項１８に記載の装置。
【請求項２０】
前記握り部が、当該握り部の下側に沿って延びる基礎となる空洞部を含む、請求項１に記載の装置。
【請求項２１】
容器と、
芯部及び握り部を含むハンドルとを含んでおり、
前記芯部は、
前記容器に連結された分岐した頭部と、
前記頭部に連結される挿入部とを含んでおり、
前記挿入部は、前記容器から離れる方向に延びる第１の垂直ガーダーと、前記第１の垂直ガーダーから離間し前記容器から離れる方向に延びる第２の垂直ガーダーとを含んでおり、
前記握り部は、前記挿入部を少なくとも部分的に取り囲んでいる、装置。
【請求項２２】
前記ハンドルが開口を含み、当該開口は、前記握り部を通り、且つ前記第１のガーダーと前記第２のガーダーとの間の前記芯部を通る、請求項２１に記載の装置。
【請求項２３】
前記握り部が前記挿入部周りに一体成形される、請求項２２に記載の装置。
【請求項２４】
前記容器が浅型容器を含む、請求項２１に記載の装置。
【請求項２５】
前記芯部が単一のユニット式部品として一体型に形成される、請求項２１に記載の装置。
【請求項２６】
前記頭部が、前記挿入部から延び前記容器に連結される第１の垂直竿部と、前記挿入部から延び前記容器に連結される第２の垂直竿部とを含む、請求項２１に記載の装置。
【請求項２７】
前記第１の竿部及び前記第２の竿部が、前記挿入部から前記容器に向かって延びながら分岐する、請求項２６に記載の装置。
【請求項２８】
前記第１のガーダー及び前記第２のガーダーが、単一のユニット式部品の一部として互いに一体型に形成される、請求項２１に記載の装置。
【請求項２９】
前記芯部が、前記第１のガーダー及び前記第２のガーダーにかかる架橋部をさらに含む、請求項２１に記載の装置。
【請求項３０】
前記架橋部が、単一のユニット式部品の一部として前記第１のガーダー及び前記第２のガーダーと一体型に形成される、請求項２９に記載の装置。
【請求項３１】
前記架橋部が少なくとも一の穴を含む、請求項３０に記載の装置。
【請求項３２】
前記芯部が少なくとも一の金属から実質的に形成され、前記握り部が少なくとも一のポリマーから実質的に形成される、請求項２１に記載の装置。
【請求項３３】
前記芯部が前記容器に締結される、請求項２１に記載の装置。
【請求項３４】
前記握り部が、前記容器から少なくとも２．５４ｃｍ（１インチ）離間している、請求項２１に記載の装置。
【請求項３５】
前記頭部が、
前記挿入部から延び前記容器に連結される第１の垂直竿部と、
前記挿入部から延び前記容器に連結される第２の垂直竿部と、
前記第１の竿部及び前記第２の竿部にかかる架橋部とを含む、請求項２１に記載の装置。
【請求項３６】
前記架橋部が少なくとも一の穴を含む、請求項３５に記載の装置。
【請求項３７】
前記第１の竿部及び前記第２の竿部が、前記容器に接近しながら分岐する、請求項３５に記載の装置。
【請求項３８】
容器と、
取付部及び握り部分を含むハンドルとを含んでおり、
前記取付部は前記容器に連結されており、
前記握り部分は前記取付部に接続され、且つ前記握り部分は、第１の部材と、第２の部材と、前記第１の部材及び前記第２の部材の間を延びる架橋部とを含んでおり、前記第1の部材及び前記第２の部材のそれぞれが、その水平寸法よりも大きい垂直寸法を含んでいる、装置。
【請求項３９】
前記握り部が、前記握り部分の下側面で互いに向かって延びる内曲した縁を含み、使用者の手に快適性と安定性をもたらす、請求項３８に記載の装置。
【請求項４０】
前記取付部が、前記握り部分に対してより長い距離だけ前記容器付近で離間されている一対の竿部部材を含む、請求項３８に記載の装置。
【請求項４１】
前記握り部分が、前記架橋部によって少なくとも一部が画成されている複数の開口と、前記握り部分の下側に沿って延びる空洞部とをさらに含む、請求項３８に記載の装置。
【請求項４２】
握り部分を少なくとも部分的に取り囲んでいる握り部をさらに含む、請求項３８に記載の装置。
【請求項４３】
前記握り部が前記握り部分周りに一体成形される、請求項４２に記載の装置。
【請求項４４】
前記握り部が前記握り部分上で摺動する鞘状部である、請求項４２に記載の装置。
【発明の詳細な説明】
【技術分野】
【０００１】
本発明は、平鍋などの器具または道具のハンドルに関する。より詳細には、本発明は、使用者が手で持ち上げ且つ動かすことを容易にする形状の構造を有するハンドルに関する。
【０００２】
〔関連特許出願の相互参照〕
本出願は、参照によってその全開示を援用する２００５年３月２５日に出願された「ＨＡＮＤＬＥ」という名称の米国仮特許出願第６０／６６５，１８３号（整理番号０６２１０３−０５４１）、及び参照によってその全開示を援用する２００６年１月１３日に出願された「ＨＡＮＤＬＥ」という名称の米国仮特許出願第６０／７５８，８９８号の優先権を、米国特許法に基づいて主張する。
【０００３】
以下の米国特許出願は、（ａ）２００６年２月１６日に出願された「ＰＡＮ」という名称の米国特許出願第２９／２５４，０２９号（整理番号０６２１０３−０５９３）；（ｂ）２００６年２月１６日に出願された「ＰＡＮ」という名称の米国特許出願第２９／２５４，０３０号（整理番号０６２１０３−０５９５）；（ｃ）２００６年２月１６日に出願された「ＰＡＮ」という名称の米国特許出願第２９／２５４，０３９号（整理番号０６２１０３−０５９４）；（ｄ）２００６年２月１６日に出願された「ＰＡＮ」という名称の米国特許出願第２９／２５４，０７３号（整理番号０６２１０３−０５９７）を、参照によって引用し、且つ参照によって本明細書に援用する。
【背景技術】
【０００４】
平鍋などの器具または道具にハンドルが設けられていることが一般に知られている。これらの既知のハンドルは一般に、単一の太い金属軸または棒を含み、軸に圧縮成形された握り部を含むことができる。
【発明の開示】
【発明が解決しようとする課題】
【０００５】
しかし、このような既知のハンドルにはいくつかの欠点がある。例えば、既知のハンドルは一般に、太い金属軸または棒であることによって、輪郭に合わせて形成されていない握り部の形状及びかなりの熱伝導性を有しており、それによりこのような既知のハンドルは製造に費用がかかる（例えば、材料費や人件費）と同時に、使い心地が悪いものになる（例えば、使用者が手に疲労や熱を感じる）傾向がある。
【０００６】
したがって、使用者が手で持ち上げ且つ動かすことを容易にする形状の構造を有する平鍋などの器具または道具のためのハンドルを提供することが有利である。より均衡に優れ、より使い心地のよい、輪郭に合わせて形成した人間工学的なハンドルを提供することもまた有利である。より少ない製造材料を必要とするハンドルを提供し、さらに既知のハンドルと同等の剛性を提供することがさらに有利である。熱を効果的且つ効率的に放散するハンドルを提供することがさらに有利である。一つまたは複数のこれらまたは他の有利な特徴を有するハンドルを提供することが望ましい。上述及び他の問題を回避する、安価で信頼性が高く且つ広く適応可能なハンドルを提供することは、当技術分野において大きな進歩となろう。
【課題を解決するための手段】
【０００７】
本発明は、基部及びハンドルを含む装置に関する。ハンドルは芯部及び握り部を含む。芯部は基部に連結された基部取付部と、第１の部材及び当該第１の部材から離間された第２の部材を含む握り部取付部とを含む。第１の部材及び第２の部材はそれぞれ、横寸法より縦寸法のほうが大きい。握り部は少なくとも部分的に握り部取付部を取り囲む。「基部」は平鍋などの器具または道具あるいは他の調理用品または用具の形態とすることができる。
【０００８】
本発明はまた、容器及びハンドルを含む装置に関する。ハンドルは芯部及び握り部を含む。芯部は容器に連結された分岐した頭部と、当該頭部に連結された挿入部とを含む。挿入部は、容器から離れる方向に延びる第１の垂直ガーダーと、当該第１の垂直ガーダーから離間し容器から離れる方向に延びる第２の垂直ガーダーとを含む。握り部は少なくとも部分的に挿入部を取り囲む。
【０００９】
本発明はさらに、容器及びハンドルを含む装置に関する。ハンドルは容器に連結された取付部と、当該取付部に連結された握り部分とを含む。握り部分は、第１の部材と、第２の部材と、第１の部材及び第２の部材の間を延びる架橋部とを含む。第１の部材及び第２の部材はそれぞれ、横寸法より縦寸法のほうが大きい。
【００１０】
本発明はさらに、開示された実施形態に示され記載された様々な特徴及び特徴の組合せに関する。開示された実施形態の目的及び特徴を実施するための他の方法は以下の明細書で説明され、または当業者が本明細書を読めば明らかになるであろう。そのような他の方法は、添付の特許請求の範囲内にある場合は開示された実施形態の範囲内にあるものとみなされる。
【発明を実施するための最良の形態】
【００１１】
本発明の多くの好ましい実施形態、例示的な実施形態、及び代替的な実施形態を詳細に説明する前に、本発明は以下の記述に述べられた、または図面に示された構成部品の構造及び構成の詳細に限定されるものではないことを理解されたい。本発明は他の実施形態も可能であり、または様々な方法で実現または実行することができる。使用される表現及び用語は説明のためのものであり、限定的にみなされるべきではないことも理解されたい。
【００１２】
図１は、（平鍋１０として示される）器具または道具の断片的な斜視図である。平鍋１０は一般に、（容器１２として示される）基部即ち作業端、及びハンドル（把手）１４を含む。容器１２は一般に流体、粒子または他の材料を支持または収容する形状の構造を含む。図示された特定の実施形態では、容器１２は食物を収容する形状の浅型容器を含む。図示された特定の実施形態では、容器１２は当該容器１２内に収容される食物または他の材料を加熱できるように、高いレベルの熱伝導性及び高温耐性を有する。一実施形態では、容器１２はアルミニウムから形成することができる。別の実施形態では、容器１２はスチールまたは鉄から形成できる。特定の実施形態では、容器１２はポリテトラフルオロエチレンまたは他の材料などの低摩擦材料で被覆した内面を有することができる。他の実施形態では、容器１２は浅型容器以外の他の形状を有することができる。例えば他の実施形態では、容器１２は、食物を支持する形状、または劣化せずに高いレベルの熱伝導性及び高温耐性を有する、アルミニウムやスチールなどの材料の一つまたは複数の層から形成されるシートなどの他材料とすることができる。
【００１３】
ハンドル１４は容器１２を人間の手で持ち上げ且つ動かすことを容易にする形状の構造を含む。ハンドル１４は一般に芯部１６及び握り部（グリップ）２０（例えば、使用者との接触部）を含む。好ましい実施形態によれば、ハンドル１４は容器からハンドルを通して使用者の手に伝わる熱がより少ないように、容器１２と接触する、ハンドルの構造支持のためのより少ない金属（例えば、断面積など）を使用する（即ち、低減した材料の質量が、熱流を抑制するまたは最小限にする抵抗器として作用する）。図２では、図示の目的のためにハンドル１４の部分を透明であるように示す破線を使用する。芯部１６はハンドル１４の剛性の背骨または構造として働く。芯部１６はハンドル１４内を延び、この例示的な実施形態では容器１２に連結されている分岐端２２（例えば、ヨーク（くびき状部））で終端する。芯部１６は一般に基部取付部（頭部２４として示す）及び握り部取付部（挿入部２６として示す）を含む。頭部２４は、握り部２０から大きく突出し容器１２に連結されている芯部１６の部分を含む。頭部２４は１対の支持用の竿部（ビーム）２８（例えば、部材、棒、ロッド、軸、片持ち式レバー）及び１対の連結用のフランジ３０を含む。竿部２８は一般に垂直竿部を含み、その竿部２８の上向き寸法（例えば、太さ、長さ、幅など）はその竿部２４の水平向き側面寸法（例えば、太さ、長さ、幅など）よりもかなり小さい。その結果、竿部２８は容器１２の内容物によって起こる容器１２の垂直負荷を支持するための、構造的な剛性及び強度をもたらす。さらに、竿部及びフランジの形状は、ハンドルへの熱流を抑制するまたは最小限にするように、側面量がより薄くなるように意図されている。竿部２８はさらに、ハンドル１４と握り部２０とを特に容器１２から離間するように働く。図に示す特定の実施形態では、竿部２８はハンドル１４を容器１２から、ハンドル１４の軸に沿って少なくとも２．５４ｃｍ（１インチ）の距離だけ離間する。他の実施形態では、そのような間隔をより大きくまたはより小さくすることができる。竿部２８がハンドル１４を容器１２から離間するので、ハンドル１４に伝導される熱はより少ない。竿部２８は互いに離間されており、それらの間にある穴によって分離されているので、竿部２８を通して伝導され得るあらゆる熱は、ハンドル１４及び握り部２０に到達する前に放散することができる。さらに、竿部２８は互いに分岐しているので、竿部２８はより広い間隔で容器１２に連結されており、より高い安定性をもたらす。
【００１４】
取付フランジ３０は竿部２８から突出し、取付頭部２４及びハンドル１４を容器１２に提供している。図に示す特定の実施形態では、取付フランジ３０は容器１２の側壁に沿って容器１２の外面にほぼ一致する形状である。取付フランジ３０は容器１２に締結されている。図に示す特定の実施形態では、取付フランジ３０は４つのリベットによって容器１２に締結されている。他の実施形態では、取付フランジ３０を他の締結具によって容器１２に締結または固定することができ、または溶接、接合、及び他の様々な固定方法のいずれかによって容器１２に固定することができる。
【００１５】
芯部１６の挿入部２６は一般に、ハンドル１４、特に握り部２０の主要骨格として働く。挿入部２６は頭部２４から延び、１対の向かい合う離間した部材（例えば、棒、竿部、部材、ロッド、軸、片持ち式レバーなどであり、以下で総称してガーダー（桁、梁）４０とよぶ）を含む。「竿部」及び「ガーダー」は通常、一方の側方寸法が他方の側方寸法よりも大きい構造部材を指す。竿部及びガーダーの寸法形状は、望ましい構造的特性をもたらす最小限の質量の材料で、より高い構造的剛性（例えば、慣性モーメントなど）をもたらす形状である。ガーダー４０は通常、握り部２０内で反対側のハンドル１４に沿って延びる。図１及び図２に示す実施形態では、ガーダー４０は一般に、垂直な竿部、または全体的な上向き寸法（例えば、太さ、長さ、幅など）がその竿部の側面または水平向き寸法（例えば、太さ、長さ、幅など）よりもかなり小さい、全体的に垂直に向いた構造物を含む。その結果、ガーダー４０は、使用する材料を低減しながらハンドル１４にかなりの剛性、硬度、及び強度をもたらす。ガーダー４０の使用する材料が少ないので、ハンドル１４はより安価である。さらに、ガーダー４０が使用する材料はより少ないので、容器１２からガーダー４０及びハンドル１４を通って伝導する（例えば、誘導される、放射されるなど）熱量はより少ない。さらに、人間工学的な把持のためにより容易に形成し構成することができ、且つ挿入部２６のガーダー４０を形成するために使用することのできる剛性材料（例えば、スチール、鉄、アルミニウムなどの金属）に比べてより熱伝導性の低い材料から形成することができる握り部２０によって、ハンドル１４はより多くの部分を設けることができる。
【００１６】
図２に示す特定の例では、頭部２４及び挿入部２６は、締結、溶接、接合、または他の方法で互いに接着される個別のユニット式部品として、それぞれ一体型に形成されている。図に示す特定の例では、頭部２４が互いに平行に延び、竿部２８を形成する分岐部を含み、その終端部で外向きに延びて取付フランジ３０を形成するように折り曲げ、または湾曲させた中間の首状部部４４を有する金属の細長い帯を含む。挿入部２６は、ガーダー４０を形成するよう環状に延びるように湾曲、変形、または鋳造された金属材料の単一の連続する細長い帯を含む。環状部４５の終結端４６は、締結、取付け、または他の方法で部分４４に固定されている。図に示す実施形態では、端部４６は（例えば、リベット、他の締結具、溶接、接合、または他の固定方法によって）部分４４を通ってそこに締結される。頭部２４及び挿入部２６は単一のユニット式部品として、それぞれ一体型に形成されるので、ハンドル１４の芯部１６はより強く、より製造費用が低くなっている。他の実施形態では、頭部２４及び挿入部２６を単一のユニット式部品として一体型に形成することができ、またはより多くの数の個別の部品から形成することもできる。
【００１７】
握り部２０は一般に、少なくとも芯部１６の挿入部２６を部分的に取り囲むある質量の材料を含む。例示的な一実施形態によれば、握り部２０は、挿入部２６及び／または頭部２４の一つまたは複数の材料に比べてより低い熱伝導性を有する材料から形成され、手を挿入部２６の熱から遮断するものである。例示的な一実施形態によれば、握り部２０は、挿入部２６ならびに挿入部２６と頭部２４との交差部の周りに一体成形されたポリマー材料から形成することができる。他の実施形態では、握り部２０は他の材料から形成することができ、芯部１６の挿入部２６周りに他の方法で固定することができる。例えば、他の実施形態では、握り部２０は挿入部２６周りを包囲する２つの部分またはクラムシェルで構成することができる。別の実施形態では、握り部２０は、挿入部２６を受け挿入部２６に押し付けられる空洞部を含む、ユニット式または一体型の１ピース部品とすることができる。
【００１８】
図に示すように、握り部は一般に細長い本体を有し、（例えば、使用者の手に把持の基準点を提供し、手が容器１２のほうへ滑ることを防止し、頭部、容器、または熱源などから放射される熱から手を遮断するように、）拡大された（例えば、球状などの）端部または頭部を含むことができる。さらに図１及び図２に示すように、握り部２０はハンドル１４に沿って軸方向に離間した開口５０を含む。開口５０は握り部２０を通過し、挿入部２６のガーダー４０同士の間でそれを通過する。開口５０はさらに容器１２からガーダー４０を通って伝導することのできる熱の放散を容易にする。その結果、容器１２が高温にさらされている間もハンドル１４及び特に握り部２０を、より容易に快適に把持することができる。図３Ａを参照すると、開口内（内部）の握り部表面は一般に使用者の手に接触しない（且つ、そのように意図されている）。図３Ａに示す例示的な実施形態によると、ガーダー同士の間及び開口内の握り部表面の材料の壁厚は、使用者の手に接触するように意図されているガーダー同士の間及び握り部表面の材料の壁厚よりも薄い。このようにして、開口内の握り部表面（即ち、使用者の手が直接接触しない場所）を通して熱が放散するように意図されている。
【００１９】
図３は図１及び図２に示す平鍋１０の別の実施形態である、平鍋１１０の断片的な斜視図である。平鍋１１０は平鍋１０と同様であるが、平鍋１１０がハンドル１４の代わりにハンドル１１４を含むことが異なっている。ハンドル１１４はハンドル１４と同様であるが、ハンドル１１４が芯部１６の代わりに芯部１１６を含むことが異なっている。芯部１１６はそれ自体は芯部１６と同様であるが、芯部１１６の頭部２４及び挿入部２６が単一のユニット式または１ピース部品として一体型に形成されていることが異なっている。特に、頭部２４及び挿入部２６は、竿部２８、取付フランジ３０、首状部４４及びガーダー４０を設けるように、湾曲、鋳造または他の方法で形成された単一の細長い垂直竿部１２９から形成されている。ハンドル１４の竿部２８及びガーダー４０と同様に、ハンドル１１４の竿部２８及びガーダー４０は、上向き寸法（例えば、太さ、長さ、幅など）が水平または横向き寸法（例えば、太さ、長さ、幅など）よりも小さい、全体的に垂直な竿部を含む。その結果、竿部２８及びガーダー４０は、より少ない材料で容器１２の載荷を支持する、剛性の骨格または芯部またはハンドル１１４を提供する。より少ない材料によってハンドル１１４への熱伝導が減少する。さらに、より少ない材料は、ハンドル１１４からの熱放散を促進するために穴５０をガーダー４０間に形成することを可能にする。竿部２８の強度によってさらに芯部１１６の分岐が可能になり、安定性を向上させるための幅広の基部が容器１２に設けられ、握り部２０が容器１２から分離され、且つ竿部２８からの熱放散が促進される。頭部２４及び挿入部２６は、金属などの比較的剛性の材料による単一の部材から単一のユニット式部品の一部として一体型に形成されているので（例えば、竿部、ストリップ、プレート、シートなど）、製造費用が低減される。
【００２０】
図４Ａから図４Ｄはハンドル１４の別の実施形態であるハンドル２１４を示す。図４Ｅから図４Ｇはハンドル２１４の芯部２１６を示す。ハンドル２１４は（図３に示す）ハンドル１１４と同様であるが、ハンドル２１４が芯部２１６を含むことが異なっている。芯部２１６は芯部１１６と同様であるが、芯部２１６が、ガーダー２４０及び部材（例えば、交差、スパン、中間などであり、架橋部２４２として全体的に示す）を有する挿入部２２６を含むことが異なっている。ガーダー２４０はガーダー４０と同様であるが、ガーダー２４０がハンドル２１４の反対側面に沿って連続的に延びていないことが異なっている。それよりは、ガーダー２４０はハンドル２１４及び芯部２１６の長手方向軸に沿って延びる細長い垂直竿部部分を含む。そのようなガーダー２４０は、架橋部２４２によって互いに相互連結されている。ガーダー２４０は個別の部分に分かれているので、芯部２１６を複雑なカーブ及び形状へと湾曲、変形、または形成することが容易である。同時に、ガーダー２０同様にガーダー２４２も全体的に垂直な竿部を含み、より少ない材料を使用してハンドル２１４の剛性及び強度が向上されている。
【００２１】
架橋部２４２は、向かい合うガーダー部分２４０同士の間にかかる構造（例えば、跨る、延びる、連結するなど）を含む。図に示す特定の例では、架橋部２４２は金属などの剛性材料による比較的細い水平パネルを含む。図に示す特定の例では、架橋部２４２は単一のユニット式または１ピース部品として残りの架橋部２４２及びガーダー２４０と一体型に形成されている。図に示す特定の例では、芯部２１６の全体は金属の単一のユニット式部品の一部として形成されている。一実施形態では、芯部２１６は打抜き及び変形した金属シートによって形成されている。その結果、製造費用が低減される。
【００２２】
図４Ｆにさらに示すように、架橋部２４２はハンドル２１４を通る開口５０を形成する働きをする穴２４３を含む。そのような穴２４３は架橋部２４２及び芯部２１６からの熱放散を促進する。そのような穴２４３はさらに、ハンドル２１４の重量を軽減する。
【００２３】
図５Ａ及び図５Ｂは、図１及び図２に示すハンドル１４の別の実施形態である、ハンドル３１４を示す。図５Ｃから図５Ｉは、ハンドル３１４の芯部３１６を示す。ハンドル３１４は（図４Ａから図４Ｇに示す）ハンドル２１４と同様であるが、ハンドル３１４が芯部３１６を含むことが異なっている。芯部３１６は芯部２１６と同様であるが、芯部３１６がガーダー２４０の代わりにガーダー３４０を含むことが異なっている。挿入部３２６のガーダー３４０は挿入部３２６の反対側面に沿って、且つハンドル３１４の長手方向軸上のハンドル３１４の反対縁に沿って連続的に延びている。図５Ｆから図５Ｈに示すように、ガーダー３４０は架橋部２４２から下方へ曲がる部分を含む。さらに図５Ｉに示すように、ガーダー３４０はハンドル３１４の長さに沿ってアーチ形に延びる。このアーチ形によってさらにハンドル３１４の構造上の強度及び載荷能力が増加する。
【００２４】
図６Ａ及び図６Ｂは、図１及び図２に示すハンドル１４のさらに別の実施形態である、ハンドル４１４を示す。図６Ｃから図６Ｉはハンドル４１４の芯部４１６を示す。ハンドル４１４はハンドル３１４と同様であるが、ハンドル４１４が芯部３１６の代わりに芯部４１６を含むことが異なる。芯部４１６はそれ自体は芯部３１６と同様であるが、芯部４１６が芯部３１６と比べてより長い軸方向長さを含み、ハンドル３１６と比べてより長い頭部４２４を含むことが異なる。頭部４２４はさらに架橋部４２５を含む。架橋部４２５は、竿部２８及び頭部４２４を高剛性化するように竿部２８同士の間にかかっている。図に示す特定の例では、架橋部４２５は、金属などの剛性材料による、パネルなど比較的薄い部分を含む。図に示す特定の例では、架橋部４２５は単一のユニット式部品として竿部４２８と一体型に形成されている。例示的な実施形態では、架橋部４２５はさらに単一のユニット式部品として芯部４１６と一体型に形成されている。その結果、芯部４１６はより単純でより製造コストが低い。大量の材料を使用していないが、架橋部４２５は芯部４１６を強化しハンドル４１４を強化する。
【００２５】
図６Ａから図６Ｃにさらに示すように、架橋部４２５はさらに穴４２７を含む。穴４２７は架橋部４２５を通って延びる。穴４２７は竿部４２８及び架橋部４２５からの熱放射を促進する。さらに、穴４２７はハンドル４１４の重量を軽減する。
【００２６】
図７Ａ及び図７Ｂは、図１及び図２に示すハンドル１４のさらに別の実施形態である、ハンドル５１４を示す。ハンドル５１４はハンドル４１４と同様であるが、ハンドル５１４が芯部４１６の代わりに芯部５１６を含むことが異なる。芯部５１６は芯部４１６と同様であるが、芯部５１６が頭部４２４の代わりに頭部５２４を含むことが異なる。頭部５２４は頭部４２４よりも軸方向に長く、架橋部４２５内に１対の穴５２７、５２９を含む。より長い長さの頭部５２４によってハンドル５１４の握り部２０は（図１及び図２に示す）容器１２からより長い長さだけ離間され、使用者の手が容器１２の内容物を加熱する熱源からより長い距離だけ離間される。穴５２７及び５２９は、竿部２８及び架橋部４２５からの熱放散をさらに高めるとともに、ハンドル５１４の重量も軽減する。ハンドル４１４の架橋構造４２５と同様に、架橋構造４２５及びハンドル５１４は、少しの追加材料で頭部５２４をさらに強化し高剛性化する。
【００２７】
図８Ａから図８Ｊは平鍋１０の別の実施形態である平鍋５１０を示す。平鍋５１０は平鍋１０と同様であるが、平鍋５１０がハンドル１４の代わりにハンドル５１４を含むことが異なる。ハンドル５１４は一般に芯部５１６を含み、握り部２０を省略する。図８Ｃから図８Ｊに示すように、芯部５１６は（図６Ｃに示す）芯部４１６と同様であるが、芯部５１６が一般に芯部５１６の竿部２８と挿入部５２６との間にある首状部５２５で狭くなる頭部５２４を含むことが異なる。首状部５２５は竿部２８の取付フランジ３０及び挿入部５２６に向かって収束する部分に比べて幅が狭いので、挿入部５２６に伝導する熱がより少ない。これは特に握り部２０が省略されている平鍋５１０にとって有益である。
【００２８】
図８Ｅにさらに示すように、芯部５１６の挿入部５２６は内曲した縁５４３をさらに含む。内曲した縁５４３はガーダー５４０と一体型に形成され芯部５１６の下側面で互いに向かって延びる材料を含む。縁５４３によって、芯部５１６の挿入部５２６は、人間の手がより把持しやすくできる円形のスパイド（ｓｐｉｄｅ）を備える。内曲した縁はまた、使用者の手に快適性と安定性をもたらすことも意図している。その結果、挿入部５２６は握り部２０が省略されるとき、より人間工学的となる。図８Ｆから図８Ｉは芯部５１６を示し、芯部５１６の例示的な寸法を示すが（インチで表す）、他の実施形態では芯部５１６は他の寸法とすることもできる。挿入部下側の握り部表面は、一般に使用者の手に接触しない。このようにして、開口内の握り部表面（即ち、使用者の手が直接接触しない場所）を通して熱が放散されることを意図している。握り部が図９Ｄに示すように使用されている場合は、ガーダーと挿入部下側の握り部表面との間の材料の壁厚は、握り部の他の部分より熱放散を向上または追加するために、使用者の手に接触することが意図されたガーダーと握り部表面との間の材料の壁厚よりも薄くなっている。
【００２９】
図９Ａから図９Ｆは、平鍋１０の別の実施形態である平鍋６１０を示す。平鍋６１０は（図８Ａから図８Ｊに示す）平鍋５１０と同様であるが、平鍋６１０が握り部６２０をさらに含むことが異なっている。図９Ｃから図９Ｇは握り部６２０をより詳細に示す。図９Ｃに示すように、握り部６２０は芯部５１６の挿入部５２６周りを延びる。握り部６２０は、平鍋６１０を把持し操作する人間に、より快適な人間工学的な構造をもたらす。一実施形態では、握り部６２０は、挿入部５２６の一つまたは複数の材料に比べてより低い熱伝導性を有する材料から形成される。例示的な一実施形態によると、握り部６２０は挿入部５２６周りで一体成形されたポリマー材料から形成される。一実施形態では、握り部６２０はシリコーンから形成することができる。他の実施形態では、握り部６２０は様々な他の材料から形成することができ、且つ他の方法で芯部５１６の挿入部５２６で固定することができる。
【００３０】
図９Ｃから図９Ｇにさらに示すように、握り部６２０は（例えば、多数、一連など）複数の開口６６０及びその下にある空洞部６６１を含む。開口６６０は握り部６２０及び（図８Ｅで示し説明した）挿入部５２６のガーダー６４０同士の間を通過する。開口６６０は、（図９Ａに示す）容器１２からガーダー５４０を通って伝導することのできる熱の放散をさらに促進する。その結果、容器１２が高温にさらされている間、ハンドル６１４をより容易に把持することができる。
【００３１】
空洞部６６１はハンドル６１４の下側面に沿って延び、空隙をもたらす。空洞部６６１は一般に（図８Ｅに示す）挿入部５２６のガーダー６４０同士の間を延びる。その結果、ガーダー５４０同士の間の熱がより容易に放散される。さらに、ハンドル６１４の重量ならびに製造費用が軽減される。他の実施形態では、開口６６０及び／または空洞部６６１は省略することもできる。
【００３２】
図１０Ａから図１０Ｊは、平鍋１０の他の実施形態である平鍋７１０を示す。平鍋７１０は平鍋５１０と同様であるが、平鍋７１０が、芯部５１６の代わりに芯部７１６を含むハンドル７１４を含むことが異なる。芯部７１６は芯部５１６と同様であるが、芯部７１６が、芯部５１６の首状部５２５と比べてより長い首状部７２５を含むことが異なる。首状部７２５の長さをより長くすることによって、芯部７１６の挿入部５２６を（図１１に示す）容器１２からさらに離間することができる。その結果、ハンドル７１４を把持する使用者または人間の手が、容器１２の内容物を加熱する熱源からさらに離間される。首状部７２５の長さを追加することによって、熱が首状部７２５を通って固有に伝導する拡大された表面積を設けることができる。
【００３３】
平鍋５１０及び６１０の芯部と同様に、平鍋７１０の芯部７１６はスチール、鉄、またはアルミニウムなど、一般に剛性材料から形成される。他の実施形態では、芯部７１６を他の材料で形成することもできる。
【００３４】
図１１Ａから図１１Ｉは、平鍋１０の別の実施形態である平鍋８１０を示す。平鍋８１０は平鍋７１０と同様であるが、平鍋８１０が、平鍋６１０で図示し説明した握り部６２０をさらに含むことが異なる。
【００３５】
図１２Ａから図１２Ｆは、平鍋１０の別の実施形態である平鍋９１０を示す。平鍋９１０は一般に、（平鍋１０に関して上述した）容器１２及びハンドル９１４を含む。ハンドル９１４は平鍋５１０のハンドル５１４と同様であるが、ハンドル９１４の長さがより短いことが異なる。ハンドル５１４と同様にハンドル９１４は芯部９１６を含み、芯部９１６の周りのシリコーンなど一つまたは複数の材料のカバー層を省略する。図示された特定の例では、芯部９１６はアルミニウム、スチール、または鉄、あるいはそれらの合金または混合物などの金属から形成される、容器１２に連結される剛性構造を含む。芯部５１６と同様に、芯部９１６は、材料のカバー層を重ねずに芯部９１６の把持を強化する（図１２Ｂに示す）内曲したフランジまたは縁５４１を含む。芯部５１６とは異なり、芯部９１６は、その長さがより短いことから、３つの開口ではなく２つの穴または開口９６０を含む。ただし他の実施形態では、芯部９１６ならびに芯部５１６は、そのような開口をより多くまたは少なく含むこともできる。
【００３６】
図１３Ａから図１３Ｆは、平鍋１０の別の実施形態である平鍋１０１０を示す。平鍋１１０は（図１２Ａから１２Ｆに示す）平鍋９１０と同様であるが、平鍋１０１０が握り部１０２０をさらに含むことが異なっている。平鍋９１０の要素に対応する平鍋１０１０のこれら残りの要素は、同様の番号を付与する。握り部１０２０は、芯部９１６周りを延びる一つまたは複数の材料の一つまたは複数の層を含む。図に示す特定の例では、握り部１０２０は芯部９１６を形成する一つまたは複数の材料と比べてより低い熱伝導性を有する材料の層を含む。その結果、握り部１０２０は、芯部９１６から握り部１０２０を把持する人間の手への熱伝導を遮断または緩和する。
【００３７】
図に示す特定の例では、握り部１０２０は、穴９６０を維持しながら芯部９１６周りに一体成形されたシリコーンの層を含む。他の実施形態では、握り部１０２０は芯部９１６の挿入部の穴９６０を埋めるように、芯部９１６周りに一体成形された、シリコーンなどの材料の層を代替的に含む。さらに他の実施形態では、握り部１０２０は、芯部９１６上及びその周りに摺動または他の方法で配置される鞘状部を形成する形状の材料の層など、一つまたは複数の材料の層を代替的に含む。特定の実施形態では、芯部９１６周りに他の方法で配置され、握り部１０２０を形成する一つまたは複数の層を、締結、溶接、接着、または他の固定方法で芯部９１６に固定することができる。
【００３８】
平鍋１０、１１０、２１０、３１０、４１０、５１０、６１０、７１０、８１０及び９１０と同様に、平鍋１０１０は、平鍋１０１０の取扱いが簡単であり操作がしやすい望ましい質量中心をもたらしながら、軽量であり且つ容易に把持できるような形状及び寸法となっている。図１３Ａ及び図１３Ｂは、平鍋１０１０の一例の寸法例（インチで表す）を示すが、他の実施形態では、平鍋１０１０は他の寸法とすることもできる。
【００３９】
図１４Ａ及び図１４Ｂは、平鍋１０の別の実施形態である平鍋１１０を示す。平鍋１１１０は平鍋９１０と同様であるが、平鍋１１１０が拡大された容器１２を有し、またハンドル９１４に比べて拡大されたハンドル１０１４を含むことが異なっている。特に、ハンドル１０１４は、芯部９１６に比べて拡大された芯部１０１６を有する。平鍋１１１０の残りの構造物は、平鍋９１０の残りの構造物とほぼ同様である。
【００４０】
図１５Ａ及び図１５Ｂは、平鍋１０の別の実施形態である平鍋１２１０を示す。平鍋１２１０は平鍋１１１０と同様であるが、平鍋１２１０が、（平鍋１０１０に関して図示し説明された）握り部１０２０をさらに含むことが異なっている。
【００４１】
概して、ハンドル１４、１１４、２１４、３１４、４１４、５１４、６１４、７１４、８１４、９１４、１０１４、１１１４及び１２１４は、平鍋、トレイ、または他の用具、特に台所及び調理用品のための丈夫で軽量で耐熱性のハンドルを提供する。上述したように、竿部２８及びガーダー４０、２４０、３４０及び５４０は、そのような竿部の水平または側面向き寸法（長さ及び幅）よりかなり小さい（そのような竿部の高さの２分の１未満程度から４分の１未満程度）、上向き寸法または厚さを有するので、そのようなガーダーは剛性で丈夫であり、より少ない材料を使用する。より少ない材料によって、そのようなハンドルは軽量であり容器１２からの熱伝導は低減される。頭部４２４及び頭部５２４は分岐しているので、熱の放散はさらに向上し、容器１２とのより安定した連結がもたらされる。竿部２８はさらに握り部２０を容器１２から離間し、それにより高温条件下でハンドルをより容易に把持することが可能になる。４０、２４０、３４０及び５４０の間の開口５０によってさらに熱の放散が向上し、そのようなハンドルの重量が軽減される。架橋部２４２はさらに挿入部２２６を強化し、架橋部４２５は頭部４２４を強化する。穴４２７、５２７及び５２９によって熱放散が向上し、重量が軽減される。
【００４２】
以上、例示的な、好ましい、且つ代替的な実施形態の実施される詳細な説明を、実施形態の例を参照して述べたが、一般的な適用性及びその範囲についていくつかの補足説明を述べることができる。まず、開示された実施形態の構成部品は平鍋などの調理用品に連結されたハンドルとして示されているが、開示された実施形態の特徴はより広い適用性を有する。例えば、ハンドルの設計は、使用者が手で持ち上げ動かすことを容易にするような形状の構造を使用する、他の器具または道具、及び他の家庭用、商業用、または業務用製品に適応可能である。さらに、様々な構成部品のサイズ及び容器のサイズは様々に変えることができる。
【００４３】
第２に、例示的な実施形態を製造するのに使用される特定の材料は、例示的なものである。例えば、シリコーンは握り部を作製するのに好ましい材料であるが、エラストマー、熱硬化性、またはポリスルホンなどの熱可塑性樹脂を含む、他の材料を使用することもできる。また、構成部品を形成するために鋳造、圧縮成形など、他の成形方法を使用することができる。プラスチックは射出成形、圧縮成形、トランスファ成形などとすることもできる。芯部の構成部品はまた、鋳造、鍛造、または打抜きしたスチールまたはアルミニウムなどの金属または合金材料で製造することができる。
【００４４】
第３に、「竿部」、「ガーダー」、「架橋」、及び「握り部」などの用語は広義の用語であることを意図しており、限定的な用語ではないことに留意することが重要である。これらの構成要素は、様々な製品または配置のいずれでも使用することができ、調理用品用途での使用に制限されるものではない。
【００４５】
好ましい、他の例示的な実施形態に示すハンドルの要素の構成及び配置は例示的なものにすぎないことに留意することもまた重要である。本開示には、本発明のいくつかの実施形態のみを詳細に述べたが、本開示を精査する当業者は、特許請求の範囲に列挙された新規の教示及び主題事項の利点から大きく逸脱せずに、多くの変形（例えば、形状及び様々な要素のサイズ、寸法、構造及び比率、パラメータ値、取付けの配置、材料、色、向きなどの変更）が可能であることを容易に理解できよう。したがって、そのような変形はすべて、添付の特許請求の範囲に規定される本発明の範囲内に含まれることが意図されている。あらゆる工程または方法のステップの順番または順序は、代替的な実施形態に従って変更することができる。特許請求の範囲では、いかなるミーンズプラスファンクションの節も、本明細書で述べた構造が列挙された機能を実行するものとして、構造的な均等物だけでなく同等の構造も包含するものである。添付の特許請求の範囲に記載された本発明精神から逸脱せずに、他の置換、変形、変更及び／または省略を、好ましい、他の例示的な実施形態の設計、操作条件、及び構成において行うことができる。
【図面の簡単な説明】
【００４６】
【図１】例示的な実施形態によるハンドルを備えた平鍋の断片的な上面斜視図である。
【図２】図１の平鍋及びハンドルの底面斜視図である。
【図３】例示的な実施形態による平鍋に連結されたハンドルの図である。
【図３Ａ】ハンドルの開口を図３の線３Ａ−３Ａに沿って見た、ハンドル握り部及び支持構造の断面図である。
【図４Ａ】図１のハンドルの側面図である。
【図４Ｂ】図１のハンドルの上面図である。
【図４Ｃ】図１のハンドルの側面図である。
【図４Ｄ】図１のハンドルの端面図である。
【図４Ｅ】図４Ａから４Ｄに示すハンドルの芯部の側面図である。
【図４Ｆ】図４Ａから４Ｄに示すハンドルの芯部の上面図である。
【図４Ｇ】図４Ａから４Ｄに示すハンドルの芯部の端面図である。
【図５Ａ】例示的な実施形態によるハンドルの上面図である。
【図５Ｂ】例示的な実施形態によるハンドルの側面図である。
【図５Ｃ】図５Ａ及び５Ｂに示すハンドルの芯部の上面図である。
【図５Ｄ】図５Ａ及び５Ｂに示すハンドルの芯部の側面図である。
【図５Ｅ】図５Ａ及び５Ｂに示すハンドルの芯部の端面図である。
【図５Ｆ】線５Ｆ−５Ｆに沿った図５Ｃの芯部の断面図である。
【図５Ｇ】線５Ｇ−５Ｇに沿った図５Ｃの芯部の断面図である。
【図５Ｈ】線５Ｈ−５Ｈに沿った図５Ｃの芯部の断面図である。
【図５Ｉ】線５Ｉ−５Ｉに沿った図５Ｄの芯部の断面図である。
【図６Ａ】例示的な実施形態によるハンドルの上面図である。
【図６Ｂ】例示的な実施形態によるハンドルの側面図である。
【図６Ｃ】例示的な実施形態による図６Ａ及び６Ｂのハンドルの芯部の上面図である。
【図６Ｄ】例示的な実施形態による図６Ａ及び６Ｂのハンドルの芯部の側面図である。
【図６Ｅ】例示的な実施形態による図Ａ６及び６Ｂのハンドルの芯部の端面図である。
【図６Ｆ】線６Ｆ−６Ｆに沿った図６Ｃの芯部の断面図である。
【図６Ｇ】線６Ｇ−６Ｇに沿った図６Ｃの芯部の断面図である。
【図６Ｈ】線６Ｈ−６Ｈに沿った図６Ｃの芯部の断面図である。
【図６Ｉ】線６Ｉ−６Ｉに沿った図６Ｄの芯部の断面図である。
【図７Ａ】例示的な実施形態によるハンドルの図である。
【図７Ｂ】例示的な実施形態によるハンドルの図である。
【図８Ａ】例示的な実施形態によるハンドルを備えた平鍋の上面図である。
【図８Ｂ】例示的な実施形態によるハンドルを備えた平鍋の側面図である。
【図８Ｃ】図８Ａの平鍋の上面斜視図である。
【図８Ｄ】図８Ａの平鍋の端面図である。
【図８Ｅ】図８Ａの平鍋の底面図である。
【図８Ｆ】図８Ｃに示すハンドルの芯部の上面図である。
【図８Ｇ】図８Ｃに示すハンドルの芯部の側面図である。
【図８Ｈ】図８Ｃに示すハンドルの芯部の底面図である。
【図８Ｉ】図８Ｃに示すハンドルの芯部の斜視図である。
【図８Ｊ】図８Ｃに示すハンドルの芯部の斜視図である。
【図９Ａ】例示的な実施形態によるハンドルを備えた平鍋の上面図である。
【図９Ｂ】例示的な実施形態によるハンドルを備えた平鍋の側面図である。
【図９Ｃ】図９Ａのハンドルの底面図である。
【図９Ｄ】図９Ｃの握り部の上面図である。
【図９Ｅ】図９Ｃの握り部の側面図である。
【図９Ｆ】図９Ｃの握り部の底面図である。
【図９Ｇ】図９Ｃの握り部の端面図である。
【図１０Ａ】例示的な実施形態によるハンドルを備えた平鍋の上面図である。
【図１０Ｂ】例示的な実施形態によるハンドルを備えた平鍋の側面図である。
【図１０Ｃ】例示的な実施形態による図１０Ａに示すハンドルの芯部の斜視図である。
【図１０Ｄ】例示的な実施形態による図１０Ａに示すハンドルの芯部の斜視図である。
【図１０Ｅ】例示的な実施形態による図１０Ａに示すハンドルの芯部の上面図である。
【図１０Ｆ】例示的な実施形態による図１０Ａに示すハンドルの芯部の斜視図である。
【図１０Ｇ】例示的な実施形態による図１０Ａに示すハンドルの芯部の上面図である。
【図１０Ｈ】例示的な実施形態による図１０Ａに示すハンドルの芯部の側面図である。
【図１０Ｉ】例示的な実施形態による図１０Ａに示すハンドルの芯部の上面図である。
【図１０Ｊ】例示的な実施形態による図１０Ａに示すハンドルの芯部の端面図である。
【図１１Ａ】例示的な実施形態によるハンドルを備えた平鍋の上面図である。
【図１１Ｂ】例示的な実施形態によるハンドルを備えた平鍋の側面図である。
【図１１Ｃ】図１１Ａの平鍋及びハンドルの上面図である。
【図１１Ｄ】図１１Ａの平鍋及びハンドルの斜視図である。
【図１１Ｅ】図１１Ａの平鍋及びハンドルの斜視図である。
【図１１Ｆ】図１１Ａの平鍋及びハンドルの側面図である。
【図１１Ｇ】図１１Ａの平鍋及びハンドルの底面図である。
【図１１Ｈ】図１１Ａの平鍋及びハンドルの側面図である。
【図１１Ｉ】図１１Ａの平鍋及びハンドルの端面図である。
【図１２Ａ】例示的な実施形態によるハンドル及び平鍋の上面図である。
【図１２Ｂ】例示的な実施形態によるハンドル及び平鍋の側面図である。
【図１２Ｃ】図１２Ａのハンドルの芯部の上面図である。
【図１２Ｄ】図１２Ａのハンドルの芯部の側面図である。
【図１２Ｅ】図１２Ａのハンドルの芯部の底面図である。
【図１２Ｆ】図１２Ａのハンドルの芯部の端面図である。
【図１３Ａ】例示的な実施形態による平鍋の上面図である。
【図１３Ｂ】例示的な実施形態による平鍋の側面図である。
【図１３Ｃ】図１３Ａのハンドルの底面図である。
【図１３Ｄ】図１３Ａのハンドルの上面斜視図である。
【図１３Ｅ】図１３Ｃに示すハンドルの握り部の斜視図である。
【図１３Ｆ】図１３Ｃに示すハンドルの握り部の底面図である。
【図１４Ａ】例示的な実施形態による平鍋の上面図である。
【図１４Ｂ】例示的な実施形態による平鍋の側面図である。
【図１５Ａ】例示的な実施形態による平鍋の上面図である。
【図１５Ｂ】例示的な実施形態による平鍋の側面図である。
【符号の説明】
【００４７】
１０  平鍋
１２  容器
１４  ハンドル
１６  芯部
２０  握り部
２４  頭部
２６  挿入部
２８  竿部
３０  フランジ
４０  ガーダー
５０  穴、開口
１１０  平鍋
１１４  ハンドル
１１６  芯部
１２９  竿部
２１０  平鍋
２１４  ハンドル
２１６  芯部
２２６  挿入部
２４０  ガーダー
２４２  架橋部
２４３  穴
３１０  平鍋
３１４  ハンドル
３１６  芯部
３２６  挿入部
３４０  ガーダー
４１０  平鍋
４１４  ハンドル
４１６  芯部
４２４  頭部
４２５  架橋部
４２６  挿入部
４２７  穴
４２８  竿部
５１０  平鍋
５１４  ハンドル
５１６  芯部
５２４  頭部
５２５  首状部
５２６  挿入部
５２７  穴
５２９  穴
５４０  ガーダー
５４３  縁
６１０  平鍋
６１４  ハンドル
６１６  芯部
６２０  握り部
６４０  ガーダー
６６０  開口
６６１  空洞部
７１０  平鍋
７１４  ハンドル
７１６  芯部
７２５  首状部
８１０  平鍋
８１４  ハンドル
９１０  平鍋
９１４  ハンドル
９１６  芯部
９６０  開口
１０１０  平鍋
１０１４  ハンドル
１０２０  握り部
１１１０  平鍋
１１１４  ハンドル
１２１０  平鍋
１２１４  ハンドル
【図１】
2006271973.tif 000003
【図２】
2006271973.tif 000004
【図３】
2006271973.tif 000005
【図３Ａ】
2006271973.tif 000006
【図４Ａ】
2006271973.tif 000007
【図４Ｂ】
2006271973.tif 000008
【図４Ｃ】
2006271973.tif 000009
【図４Ｄ】
2006271973.tif 000010
【図４Ｅ】
2006271973.tif 000011
【図４Ｆ】
2006271973.tif 000012
【図４Ｇ】
2006271973.tif 000013
【図５Ａ】
2006271973.tif 000014
【図５Ｂ】
2006271973.tif 000015
【図５Ｃ】
2006271973.tif 000016
【図５Ｄ】
2006271973.tif 000017
【図５Ｅ】
2006271973.tif 000018
【図５Ｆ】
2006271973.tif 000019
【図５Ｇ】
2006271973.tif 000020
【図５Ｈ】
2006271973.tif 000021
【図５Ｉ】
2006271973.tif 000022
【図６Ａ】
2006271973.tif 000023
【図６Ｂ】
2006271973.tif 000024
【図６Ｃ】
2006271973.tif 000025
【図６Ｄ】
2006271973.tif 000026
【図６Ｅ】
2006271973.tif 000027
【図６Ｆ】
2006271973.tif 000028
【図６Ｇ】
2006271973.tif 000029
【図６Ｈ】
2006271973.tif 000030
【図６Ｉ】
2006271973.tif 000031
【図７Ａ】
2006271973.tif 000032
【図７Ｂ】
2006271973.tif 000033
【図８Ａ】
2006271973.tif 000034
【図８Ｂ】
2006271973.tif 000035
【図８Ｃ】
2006271973.tif 000036
【図８Ｄ】
2006271973.tif 000037
【図８Ｅ】
2006271973.tif 000038
【図８Ｆ】
2006271973.tif 000039
【図８Ｇ】
2006271973.tif 000040
【図８Ｈ】
2006271973.tif 000041
【図８Ｉ】
2006271973.tif 000042
【図８Ｊ】
2006271973.tif 000043
【図９Ａ】
2006271973.tif 000044
【図９Ｂ】
2006271973.tif 000045
【図９Ｃ】
2006271973.tif 000046
【図９Ｄ】
2006271973.tif 000047
【図９Ｅ】
2006271973.tif 000048
【図９Ｆ】
2006271973.tif 000049
【図９Ｇ】
2006271973.tif 000050
【図１０Ａ】
2006271973.tif 000051
【図１０Ｂ】
2006271973.tif 000052
【図１０Ｃ】
2006271973.tif 000053
【図１０Ｄ】
2006271973.tif 000054
【図１０Ｅ】
2006271973.tif 000055
【図１０Ｆ】
2006271973.tif 000056
【図１０Ｇ】
2006271973.tif 000057
【図１０Ｈ】
2006271973.tif 000058
【図１０Ｉ】
2006271973.tif 000059
【図１０Ｊ】
2006271973.tif 000060
【図１１Ａ】
2006271973.tif 000061
【図１１Ｂ】
2006271973.tif 000062
【図１１Ｃ】
2006271973.tif 000063
【図１１Ｄ】
2006271973.tif 000064
【図１１Ｅ】
2006271973.tif 000065
【図１１Ｆ】
2006271973.tif 000066
【図１１Ｇ】
2006271973.tif 000067
【図１１Ｈ】
2006271973.tif 000068
【図１１Ｉ】
2006271973.tif 000069
【図１２Ａ】
2006271973.tif 000070
【図１２Ｂ】
2006271973.tif 000071
【図１２Ｃ】
2006271973.tif 000072
【図１２Ｄ】
2006271973.tif 000073
【図１２Ｅ】
2006271973.tif 000074
【図１２Ｆ】
2006271973.tif 000075
【図１３Ａ】
2006271973.tif 000076
【図１３Ｂ】
2006271973.tif 000077
【図１３Ｃ】
2006271973.tif 000078
【図１３Ｄ】
2006271973.tif 000079
【図１３Ｅ】
2006271973.tif 000080
【図１３Ｆ】
2006271973.tif 000081
【図１４Ａ】
2006271973.tif 000082
【図１４Ｂ】
2006271973.tif 000083
【図１５Ａ】
2006271973.tif 000084
【図１５Ｂ】
2006271973.tif 000085
【外国語明細書】
2006271973000001.pdf